(57)【要約】【課題】本発明は、少なくとも1つの光学可変デバイスを有するセキュリティエレメントに関する。【解決手段】光学可変デバイスの少なくとも1つの層は電子部品および／または電子回路の電気的活性層（１３、１４）の形態である。【選択図】図１
2008525997.tif 000002
【特許請求の範囲】
【請求項１】
少なくとも１つの光学可変デバイスを有するセキュリティエレメントであって、
前記光学可変デバイスの少なくとも１つの層が電子部品及び／または電子回路の電気的活性層（１３、１４）の形態であることを特徴とするセキュリティエレメント。
【請求項２】
前記電気的活性層が、光学表示要素（１０、２０、３０、４０、５０、６０）の電極の形態であることを特徴とする前述の請求項のいずれか１つに記載のセキュリティエレメント。
【請求項３】
前記電気的活性層はインダクタおよび／またはコンデンサの電気的活性層の形態であることを特徴とする請求項１または請求項２に記載のセキュリティエレメント。
【請求項４】
前記電気的活性層は電気発振回路の電気的活性層の形態であることを特徴とする前述の請求項のいずれか１つに記載のセキュリティエレメント。
【請求項５】
前記電気的活性層の表面構造は前記発振回路の共振周波数および／または品質に影響を及ぼすことを特徴とする請求項４に記載のセキュリティエレメント。
【請求項６】
前記電気的活性層はＲＦアンテナ（７４ａ）の形態であることを特徴とする前述の請求項のいずれか１つに記載のセキュリティエレメント。
【請求項７】
前記電気的活性層は電気接続要素（９１ｌ）の形態であることを特徴とする前述の請求項のいずれか１つに記載のセキュリティエレメント。
【請求項８】
前記電気的活性層は微細非金属化層または微細金属化層の形態であることを特徴とする前述の請求項のいずれか１つに記載のセキュリティエレメント。
【請求項９】
前記電気的活性層は金属層の形態であることを特徴とする前述の請求項のいずれか１つに記載のセキュリティエレメント。
【請求項１０】
前記電気的活性層は非金属層の形態であることを特徴とする前述の請求項のいずれか１つに記載のセキュリティエレメント。
【請求項１１】
前記電気的活性層は有機層の形態であることを特徴とする前述の請求項のいずれか１つに記載のセキュリティエレメント。
【請求項１２】
前記電気的活性層は前記光学可変デバイスの準領域を形成することを特徴とする前述の請求項のいずれか１つ、特に請求項２に記載のセキュリティエレメント。
【請求項１３】
前記電気的活性層は少なくとも１つの被覆層（１５、４６、５６、６６）によって覆われることを特徴とする前述の請求項のいずれか１つに記載のセキュリティエレメント。
【請求項１４】
前記被覆層はさらなる光学可変デバイスの表面回折レリーフを有する透明層であることを特徴とする請求項１３に記載のセキュリティエレメント。
【請求項１５】
前記被覆層はミクロレンズおよび／またはミクロプリズムアレイを有することを特徴とする請求項１３に記載のセキュリティエレメント。
【請求項１６】
前記被覆層はマクロ構造が形成された透明層であることを特徴とする請求項１３に記載のセキュリティエレメント。
【請求項１７】
前記被覆層（１５、４６、５６、６６）は前記光学表示要素（１０、２０、３０、４０、５０、６０）にわたって配置されることを特徴とする請求項６および請求項１３に記載のセキュリティエレメント。
【請求項１８】
前記被覆層は前記光学表示要素（１０、２０、３０、４０、５０、６０）の下に配置されることを特徴とする請求項６および請求項１３に記載のセキュリティエレメント。
【請求項１９】
前記被覆層は前記光学表示要素（１０、２０、３０、４０、５０、６０）から放射された画像が立体画像として観察者に見えるようにされることを特徴とする請求項１６および請求項１７に記載のセキュリティエレメント。
【発明の詳細な説明】
【技術分野】
【０００１】
本発明は少なくとも１つの光学可変デバイス（ＯＶＤ）を有するセキュリティエレメントに関する。
【背景技術】
【０００２】
ＯＶＤは、例えば紙幣（ｂａｎｋｎｏｔｅ）、セキュリティドキュメントまたは商品ラベルのためのセキュリティエレメントとして用いられる。それらの光学効果は例えば光学的な微細構造での光の屈折または回折に基づいているので、それらは色複製プロセスで偽造されることができない。
【０００３】
複数の層において異なる光学効果を提供する光学可変セキュリティエレメントが提案されている。
【０００４】
ＷＯ０１／０３９４５Ａ１には、それを観察する人の視角に依存して知覚可能な色変化を生じる薄膜が一方の側に適用された透明基板を有するセキュリティエレメントが記載されている。回折パターンが透明基板の反対側に適用され、さらにコピー防止性を高めている。この回折パターンは回折格子として働き、例えばそれを観察する人に対して二次元パターンによる三次元画像の錯覚が生じる。これにより、薄膜層によって生じる光学効果と回折パターンによって生じる光学効果とが光学可変セキュリティエレメントのどの位置でも重ね合わされ、したがってそれら二つの効果から成る光学効果を全体として提供する。
【０００５】
ＷＯ０２／００４４５Ａ１は、光学可変セキュリティエレメントの複数の層において生じる光学効果を互いに切り離すための方法を提案する。この目的のため、提案された1つの可能性は、回折によってホログラフィック画像を生じさせるレリーフ構造と、色変化を生じさせる薄膜との間に不透明層を適用することである。提案されたさらなる選択肢は、不透明中間層の代わりに1つ以上の高屈折層と接着剤層とを配置することである。これらの層は、ホログラフィック画像を生じさせるレリーフ構造の領域における光の反射と強度を増大させ、それによりホログラフィック画像は薄膜の色変化効果に関連して明らかになる。
【０００６】
さらに、盗難防止手段としての無線ＩＣタグ（ＲＦＩＤ）のための、または商品識別のためのエレメントを用いることもさらに知られている。ＲＦＩＤは物体や人に配置されたトランスポンダと読込装置との間の無線通信に基づいている。トランスポンダは通常半導体チップに接続されたアンテナを含んでいる。トランスポンダと読込装置との間の通信はトランスポンダから読込装置への識別コードの通信を含む。
【０００７】
例えばＵＳ４２２０９５６は、ＲＦＩＤトランスポンダのためのＲＦアンテナの製造方法を記載し、ここではアンテナは薄い基板の片面に適用された１２５μｍ以下の厚さの導電層をエッチングすることによって形成される。この場合、エッチング加工は、電子産業において印刷された回路の生産のためのものと同様である。
【発明の開示】
【発明が解決しようとする課題】
【０００８】
ここで本発明の目的は、特に耐偽造性の光学可変デバイスを有するセキュリティエレメントを提供することである。
【課題を解決するための手段】
【０００９】
本発明の目的は、少なくとも1つの光学可変デバイスを有するセキュリティエレメントによって達成される。少なくとも1つの光学可変デバイスの層は、電子部品および／または電子回路の電気的に活性な層の形態である。
【発明を実施するための最良の形態】
【００１０】
光学可変デバイスは観察方向および／または照明の種類および／または照明の方向に依存して変化する光学効果を現す。このような効果は、例えば特定の表面レリーフ（回折格子、ホログラム）によって、および／または薄膜（干渉層システム）の特定の配置によって生じ得る。
【００１１】
この方法において、光学可変デバイスおよび電子部品および／または電子回路は切り離せないユニットを形成する。光学可変デバイスまたは電子部品における操作は、構成部分の両方を変化させ、1つまたは両方の構成部分の破壊を引き起こす。
【００１２】
例として、ＲＦＩＤトランスポンダにはレーザーアブレーションによって書込可能な情報メモリを備えることができる。このプロセスにおいて、必要とされないメモリーマトリックスの成分はレーザーの作用によって破壊される。このようなメモリーマトリックスは、有機電界効果トランジスタのような有機成分を有するフィルム体の形態であることが可能である。ここで、本発明による解決法を用いるとき、メモリーマトリックスにおけるいかなる操作も、操作されたメモリーマトリックスの電気的活性層の光学特性変化を引き起こし、この方法において可視となる。
【００１３】
別々に、つまり光学可変デバイスを電子部品へ順次適用することが生産技術の許容範囲のために困難であるように、電子部品は、本発明による解決法によって光学可変デバイスに統合され得る。電子部品は光学作用に組み込まれなければならず、したがって光学可変デバイスに関してμｍの範囲の許容差で位置づけられなければならない。これは、普通の生産プロセスにおいて、妥当な複雑さおよび経費でのみ可能である。
【００１４】
本発明のさらに有利な構成は添付の請求項において説明される。
【００１５】
この電気的活性層が光学可変デバイスの形態であり得る電子部品の種類は様々である。
【００１６】
電気的活性層は、ＲＦＩＤトランスポンダのＲＦアンテナの形態であることが可能である。このようなアンテナ構造は、この方法において光学的に評価されることもまた可能である。らせん構造のＲＦアンテナは、このようにグラフィック表示を形成する、またはこのような表示の部分であることが可能である。さらに電気的活性層の微細構造化によって、このようなＲＦアンテナは平坦な表面を有する薄膜の形態の従来のＲＦアンテナよりも、より良い電気的特性を有することができる。
【００１７】
電気的活性層は、インダクタおよび／またはコンデンサの電気的活性層の形態であってもよい。特に、電気的活性層が電気発振回路の電気的活性層、つまりインダクタとコンデンサの相互接続の形態である場合、本発明によって提供さる電気的活性層の表面の微細構造は、この方法によって形成された電気発振回路の共振周波数に著しく影響を及ぼす。次いで、発振回路の共振周波数を決定することは、電気的活性層の巨視的な幾何学的寸法からだけでは可能ではない。発振回路のこのような特性は、耐偽造性をさらに高める。
【００１８】
電気的活性層は電子部品、特に光学表示要素の電極の形態であることが可能である。これはＲＦＩＤトランスポンダによって活性化される光学表示要素を含み得る。活性化されると、光学表示要素は光学可変デバイスの形態の電極によって生じる光学効果に重ね合わされる、付加的な光学効果を生じさせることが可能である。光学表示要素は、例えばパターンまたは数の形状に形成された有機発光ダイオードであってもよい。ここで、このパターンまたは数は、電極によって生じる光学可変背景パターンとともに、特有の光学効果を形成する。しかしながら点形状の有機発光ダイオードが、例えばフラットスクリーンから知られるように、ピクセルラスタに配置されることもまた可能である。このように、高解像度のグラフィック表示を生じさせることが可能である。さらに、光学表示要素が、印加された電圧に依存して異なる色を示すエレクトロクロミック素子を有することが可能である。光学表示要素は、二つの電極層の間を移動可能に配置された、異なって着色されたまたは白黒の、且つ異なって帯電した複数の粒子を有することが可能である。電極層にわたって電圧を印加することは、一方または他方の電極層の近くで一方または他方の粒子濃度を変えることを可能にし、表示要素の光学的印象が印加電圧の大きさおよび／または極性に依存して変化する。このように設定された状態は、新たな電圧が印加されるまでは実質的に変化しない。光学表示要素は例えばシリアルナンバー、画像または名前の形態で個々に区別されることもまた可能である。これは、例えば生産工程の間に電極層の表面の微細構造化、例えば金属電極層の微細非金属化または微細金属化によってによって達成され得る。
【００１９】
電気的活性層は、電気接続要素の形態であることも可能である。したがって、回路装置またはスイッチ回路の直線配置が光学可変デバイスの形態であることもまた可能である。このように、例えば回路装置またはスイッチ回路の地電位に接続された大きな面積のコンダクタトラックは、光学的な構造に組み込まれることが可能である。光学的印象を改良するために、電気的機能のないさらなる領域が電気的機能要素の間に配置されることが可能である。
【００２０】
電気的活性層は金属層の形態であってもよい。金属層は、印刷によって構造層の形態、例えば有機光学表示要素を生じるようにポリマー層の両側への印刷の形態で適用されることが可能である。しかしながら、それらは例えばスパッタリングによって表面にわたって適用され、次いで除去プロセスによって構造化されることも可能である。次いで、金属層の表面の微細構造化は、例えば形状ローラによって適用されることが可能である。しかしながら、金属層の下に配置された層が形づけられ、金属層がそこに適用されることも可能である。金属層は層厚さに依存して不透明、半透明または透明であることが可能である。
【００２１】
上述したように、電気的活性層は、このようにその下に配置された層で観察可能な微細非金属化層の形態であることもまた可能である。
【００２２】
電気的活性層は、例えばインジウムスズ酸化物から成る非金属層の形態であることも可能である。インジウムスズ酸化物の層は電気的活性層が透明である場合に設けられ得る。
【００２３】
導電層は有機層の形態であるということも可能である。これは例えば有機回路が形成される有機電界効果トランジスタであるように、有機電子部品を形成するのに特に有利であり得る。
【００２４】
さらに電気的活性層は、少なくとも1つの被覆層に覆われることが可能である。このような層は、例えば有機電子部品を環境の影響から保護するための保護層であることが可能である。しかしながら、被覆層は透明回折構造の形状であることも可能である。このような被覆層は光学可変デバイスの形態である電気的活性層に起因する光学効果に重ね合わされる光学効果を生じさせることが可能である。しかしながらこれは、相互に補助的な効果を含み、例えば一緒に観察されたときに動きを擬態する画像変化を引き起こす部分画像の発生をもたらすことも可能である。
【００２５】
被覆層はマクロ構造の形態、例えばミクロレンズアレイおよび／またはミクロプリズムアレイの形態であることも可能である。このような被覆層は付加的な光学効果をもたらすことが可能である。このようなマクロ構造は、ここでは特に、横の寸法が１００μｍ範囲以下の構造である。ミクロレンズアレイ、特に収束レンズから形成されるミクロレンズアレイは、光学表示要素に周辺光の焦点を合わせることができる。このように、表示要素の光学作用は、ＯＬＥＤ（有機発光ダイオード）または移動可能な着色剤粒子をも含むエレクトロクロミック素子の原理に基づいて改良され得る。しかしながら、第二ミクロレンズアレイと重ね合わせることによってミクロレンズアレイが巨視的な集束レンズのように働く、つまりミクロレンズアレイの下のピクセルを拡大スケールで再現するということも可能である。さらに、例えばこのようなセキュリティエレメントが備えられたセキュリティドキュメントを折りたたむことによって、第二ミクロレンズアレイが第一ミクロレンズアレイにわたって配置され得ることが可能である。望遠鏡や顕微鏡から知られるレンズアセンブリを形成することが可能である。したがって、ミクロレンズアレイから形成される発散レンズと集束レンズとを組み合わせることは、オペラグラスから知られるように、いわゆるガリレオ望遠鏡を形成することを可能にする。
【００２６】
例として、特異的に標的化されたミクロプリズムアレイを用いた方法において、光学表示要素に由来する光が分散され得る。放射光は、視角が傾斜したときでさえもはっきりと知覚されるように、例えば偏向されることが可能である。
【００２７】
すでに参照された被覆層としての層が、光学表示要素の下に配置されることも可能である。このような被覆層は、例えば正弦関数または正弦状の線状または交差格子の形状であって、２００〜２０００本／ｍｍの範囲で多くの線を有してもよい。したがって、光学表示要素がＬＥＤの形態である場合、光学表示要素の下面で発する光は反射され得る。この目的のために反射性のフレネル（Ｆｒｅｓｎｅｌ）レンズを提供することも可能である。
【００２８】
本発明による解決法は、部分領域においてのみ電気的活性層の形態である光学可変デバイスを含む。光学可変デバイスが例えば光学表示要素を覆った場合、表示要素にわたって配置された光学可変表示の部分のみが電気的活性層の形態となる。電気的活性層は他の電子部品および／またはインダクタおよび／またはコンデンサおよび／または導線トラックの電極を含むことも可能である。
【００２９】
本発明は、例として以下の多くの実施形態によって、添付の図面を参照して記載される。
【実施例】
【００３０】
図１は、ポリマー表示要素１０の第一実施例の概略断面図を示し、このポリマー表示要素１０は、ポリマー表示要素１２と、その上に配置された上部電極層１３と、ポリマー表示要素１２の下に配置された下部電極層１４を有する。上部電極層１３は厚さ１０ｎｍの透明金属層の形態であり、一方下部電極層１４は厚さ１０ｎｍの不透明金属層の形態であることが可能である。
【００３１】
ポリマー表示層１２は、例えば発光ポリマー、エレクトロクロミックまたは電子インクから形成される。この場合、ポリマー表示層１２がＯＬＥＤ（有機発光ダイオード）の形態であるとき、それは厚さ２００〜３００ｎｍ、厚さ２０ｎｍ、及び厚さ２００〜３００ｎｍの相互に重ねられた３つのサブレイヤーから形成されることが可能である。
【００３２】
下部電極層１４は、光学活性の表面構造が形成された完全に金属化された層の形態である。したがって下部電極層１４は完全に金属化されたＯＶＤ（光学可変デバイス、例えば回折格子またはホログラム）を形成し、例えば銅、アルミニウム、銀、金またはクロムを含んでいる。上部電極層１３は透明導電層、例えばインジウムスズ酸化物のような導電性酸化物や非常に細かな金属格子を含んでいる。
【００３３】
このように、上からの観察方向１８ｏにおいてポリマー表示層１２は可視である一方、下からの観察方向１８ｕではそれは不可視である。周辺光１８ｌは実質的に上からポリマー表示要素１０に照射される。
【００３４】
透明ＯＶＤ１５が上部電極層１３に適用されることも可能である。透明ＯＶＤ１５は、例えばＴｉＯ２あるいはＺｎＳのような高屈折性材料を有する誘電層の形態であることも可能である。この点において、透明ＯＶＤ１５は、ポリマー表示要素１０に隣接する少なくとも1つの領域に広がることもまた可能である。
【００３５】
上述の層はそれらがセキュリティ特性及び／または装飾効果を形成する光学効果を生じうるものであることも可能である。さらに、耐偽造性を増加するような、例えばモアレ効果の形態の二つの層が連携することによって効果が生じ、または層の整合した関係から特性が形成されることが可能である。
【００３６】
次に、図２はポリマー表示要素２０である第二の実施例を示す。より明瞭にするために、同様の層は同じ符号によって記される。ポリマー表示要素２０はここで、三つの相互に重なり合った層から形成される。ポリマー表示層１２は完全に金属化されたＯＶＤの形態であり得る下部電極層１４に配置され、上部電極層１３はポリマー表示層１２に配置される。この実施例において、上部電極層１３は透明な微細非金属化領域１３ｄを有する金属電極層１３の形態である。領域１３ｄは、金属電極層１３と例えば厚さにおいて異なる微細金属化領域の形態であることもまた可能である。微細非金属化領域１３ｄは、発光ディスプレイのポリマー表示層１２に埋め込まれた表示領域１２ｄに対応している。表示領域１２ｄは、ピクセルの形態で発光し及び／または色を変化させ、例えばテキストやロゴのような光学情報を再現できることが好ましい。表示領域１２ｄが不変の情報を再現するように静的に活性化されることも可能である。しかしながら、表示領域１２ｄが可変の情報、例えば拍動する色変化を出力するように動的に活性化されることも可能である。このような可変情報は、例えばポリマー表示要素２０がＲＦＩＤ（無線ＩＣタグ）トランスポンダに統合される場合に出力されることも可能である。ＲＦＩＤトランスポンダは、高周波電磁界においてそこに同調されたときに（調節された）高周波数信号を発する。この手順が、このようにさらに光学的に伝達されることが可能である。
【００３７】
しかしながら、表示領域１２ｄは、残りのポリマー表示層１２から分離されるのではなく、上部微細構造電極層１３を通った入射光によって形成され、この状況において発光する領域を含むこともまた可能である。このような構成は図３、５および６の実施例においてもまた提供され得る。
【００３８】
上部電極層１３は微細構造表面を有し、例えばホログラムの形態であり得る。このように、表示領域１２ｄによって再現される情報は、ホログラフィック画像に組み込まれ得る。
【００３９】
ここで図３は、図２に示されたポリマー表示要素２０のように三つの相互に重なり合った層１４、１２および１３から形成されるポリマー表示要素３０を示す。発光ディスプレイの表示領域１２ｄはポリマー表示層１２に埋め込まれる。図示の実施例では、上部電極層１３と下部電極層１４との両者が表示領域１２ｄと対応した関係で配置された微細非金属化領域１３ｄおよび１４ｄを有する。このように、相互に重なり合う領域１４ｄ、１２ｄおよび１３ｄは、下からの観察方向１８ｕで、観察方向１８ｏで上から可視となるパターンと鏡像の関係のパターンを形成することが可能である。しかしながら、領域１３ｄおよび１４ｄが異なるパターン、例えば相互に相補的なパターンを提供することもまた可能である。パターンは例えばロゴまたは英数字の記号の形態であることが可能である。
【００４０】
例えば以下のように、完全に相補的な画像を形成することが可能である。
−領域１３ｄは透明の金属化領域の形態であり、周囲の領域１３は不透明金属化領域の形態であり、
−領域１４ｄは不透明金属化領域の形態であり、周囲の領域１４は透明金属化領域の形態である。
【００４１】
このような構成は、ポリマー表示層１２の両側を金属でコーティングし、領域１３ｄおよび１４を相補的なパターンを用いて整合して非金属化し、両側を透明金属層でコーティングすることによって形成され得る。  
【００４２】
相補的な配置が含まれるとき、上から（観察方向１８ｏ）も下から（観察方向１８ｕ）も可視であるサブパターンは、ポリマー表示要素の急速な旋回運動によって二つのサブパターンから形成される全パターンの光学的印象を形成する。このような全パターンは、例えばテキストの一部によって補完されたグラフィックロゴの形態であり得る。領域１３ｄおよび１４ｄは、例えば表示領域１２ｄの照明を拍動することによって、相互に作用するパターンの形態であることもまた可能である。
【００４３】
上部電極層１３および／または下部電極層１４および／または微細非金属化領域１３ｄ、１４ｄは回折層、例えばホログラムまたは回折格子の形態であることも可能である。このように、効果的な光学作用の他に耐偽造性セキュリティ特性を含む異なる光学効果を形成することも可能である。
【００４４】
次に、図４は透明微細光学層４６で覆われたポリマー表示要素４０を示す。図示の実施例では、これは、ミクロレンズアレイの形態であるマクロ構造を含み、ミクロレンズは１００μｍ範囲の大きさで、それぞれが収束レンズの形態となっている。さらに、下部電極層１４は不透明金属層の形態であり、上部電極層１３は透明導電層の形態である。
【００４５】
図４の実施形態において、透明微細光学層４６は周辺光１８ｌを電極層１３、１４の間に配置されたポリマー表示層１２へ集中させる。例えばこのようにポリマー表示層１２の色変化を、特に明瞭に可視にすることが可能である。この点において、図１を参照してすでに述べたように、ＯＬＥＤ構造を提供することが可能であり、ここでは活性層は非常に薄い（約１０ｎｍ）。したがって、この層は微細光学層４６のミクロレンズの焦点に、または焦点の非常に近くに配置される。
【００４６】
図５は、回折ＯＶＤ層５６で覆われたポリマー表示要素５０を示す。このポリマー表示要素５０は、他の点では図２に示されたポリマー表示要素２０と同様であり、つまり、ポリマー表示層１２は、完全に金属化されたＯＶＤの形態である下部電極層１４に配置され、透明な微細非金属領域１３ｄを有する金属層の形態の上部電極層１３は、ポリマー表示層１２に配置される。微細非金属化領域１３ｄは、発光ディスプレイのポリマー表示層１２に埋め込まれた表示領域１２ｄに対応している。
【００４７】
回折ＯＶＤ層５６は‘透かし’をポリマー表示要素１２に生じさせ、このように高度な複雑さと経費とを伴ってのみ偽造され得る際立った特徴を生じさせる。これは、第一観察方向で光を発するデザイン要素を含むことが可能であり、このデザイン要素の周辺領域は第一観察方向に対して１８０°まで回転された第二観察方向で光を発する。図５に示された矢印５８は、回折ＯＶＤ層５６によって偏向された発光ディスプレイの表示領域１２ｄの光線を表す。
【００４８】
次に、図６は原則として図５のポリマー表示要素５０と同様に設計されたポリマー表示要素６０を示す。最上の層としての回折ＯＶＤ層６６はポリマー表示要素６０を覆っている。ＯＶＤ層６６は反射領域６６ｒと回折領域６６ｄとを有する。
【００４９】
反射領域６６ｒは入射する周辺光１８ｌを反射し、その際スペクトル色の光１８ｃに分ける。これは周辺光１８ｌの構成と入射角度との両方に依存する色効果を生じさせる。このような物理的な色効果は、色複製プロセスによって偽造されることができない。
【００５０】
図６の実施形態の回折領域１６ｄは、発光ディスプレイの表示領域１２ｄにわたって配置され、このように、前述したような付加的な耐偽造性セキュリティ特性となり得る‘透かし’を生じさせる。
【００５１】
次に、図７は本発明による表示要素が設けられたセキュリティドキュメント７０の第一の実施形態の概略断面図である。セキュリティドキュメント７０は紙幣、文書、商品ラベルなどであってもよい。セキュリティドキュメント７０は、例えば１００μｍの厚さのプラスチック材料のキャリア７１を含む。キャリアはまた、例えば身分証明書の場合に通例となっているように、プラスチック材料から成ることも可能である。
【００５２】
キャリア７１には、キャリアの表側に光学可変デバイス７２が設けられ、その下にはポリマー表示要素７３が配置されている。これは、図１〜６を参照してすでに述べたように、表示要素であってもよく、つまり、光学可変デバイス７２とポリマー表示要素７３とはフィルム要素を形成することが可能である。光学可変デバイス７２は回折セキュリティエレメントの形態、例えばホログラムまたはキネグラム（Ｋｉｎｅｇｒａｍ、登録商標）の形態であることが可能である。
【００５３】
キャリア７１の下面には、アンテナ７４ａと電子回路７４ｓとから形成されるＲＦＩＤトランスポンダ７４が配置される。ＲＦＩＤトランスポンダ７１は、とりわけポリマー表示要素７３に供給電圧を提供する。図８の下からの詳細図において見られるように、らせん状に配置されたアンテナ７４ａは少なくとも部分的な領域において光学可変エレメント７４ｂの形態であり、この方法によって付加的な耐偽造性セキュリティ特性を形成する。ＲＦＩＤトランスポンダ７４が高周波電磁界によって活性化されたときに色変化を生じるさらなる層がアンテナ７４ａにわたって配置されることもまた可能である。したがって、非活性化状態で色特性が可視となり、活性化状態でより明るく見えることが可能であり、その逆もまた可能である。
【００５４】
次に、図９〜１１は、アンテナ構造９２と集積回路９３とによって電力が供給される８つの英数字表示要素９１を有するポリマーディスプレイ９０を示す。図示の実施形態において、英数字表示要素９１はそれぞれ論理スイッチングシステム９４に接続された１３の個々の表示要素９１ａから形成される。このように、アンテナ構造９２と集積回路９３とによって供給される電力は個々の表示要素９１ａに分配され、表示要素９１の作動された個々の表示要素９１ａはそれぞれ個々の英数字の文字を形成する。８つの英数字表示要素９１によって形成された文字は、例えばシリアルナンバーまたは名前のような個人情報アイテムを再現することができる。
【００５５】
アンテナ構造９２および集積回路９３はＲＦＩＤトランスポンダを形成することが可能であり、ここでは集積回路９３が論理スイッチングシステム９４の作動のための論理情報を提供することができる。
【００５６】
アンテナ構造９２は、回折、光学可変デバイスの形態であることが可能であり、換言すると、回折パターンがアンテナ構造９２の表面に形成され得る。このように、模倣が困難なセキュリティ特性が提供されるだけでなく、アンテナ構造９２の機能上の改良が達成され得る。より具体的には、形成された表面構造は、アンテナ構造の有効表面積を大きく拡大し、それによりアンテナ構造９２の電気的品質が改良される。
【００５７】
集積回路９３は、光学可変デバイスを形成する回折構造を有するフィルム層で覆われることが可能である。この場合、アンテナ９２に組み込まれた回路９３は光学的に知覚可能でない表面構造を有することが可能である。しかしながら、それはアンテナ構造９２によって視覚的に顕著になり、アンテナ構造とともに光学的に興味深い効果、例えばホログラムまたはキネグラムを背景にしたロゴの形態で生じる。
【００５８】
図１０および１１から分かるように、英数字表示要素９１は、それぞれ上部電極が電線９１ｌで論理スイッチングシステム９４に接続された個々の表示要素９１ａから形成される。この場合、表示要素９１は、前述の図２に断面で概略的に示された表示要素と同様であってもよい。つまり、個々の表示要素９１ａには微細非金属化領域９１ｄまたは横方向に構造化された透明電極が設けられ、それら表示要素はその下に配置されたポリマー表示層での観察を可能にする。個々の表示要素９１ａは、金属電極層９１ｍによって取り囲まれている。図９の実施形態において、表示要素９１の電極層９１ｍは互いに区切られている。しかしながら、それらは共有の閉鎖領域を形成することもまた可能である。電極層９１ｍには、光学可変デバイス、例えば視角および周辺光のスペクトル組成に依存して色変化を生じさせるための回折格子を形成する回折表面構造が設けられている。
【００５９】
次に、図１２〜１５は本発明の表示要素を有するセキュリティドキュメントのさらなる実施例を示す。
【００６０】
この実施形態では、セキュリティドキュメント１２０の信頼性は、特別な高周波送信機１２１、無線電話１２２または無線キー１２３によって確認され得る。この目的のため、フィルムエレメントの形態であり得るＲＦＩＤトランスポンダ（図示せず）がセキュリティドキュメント１２０に配置される。このようなフィルムエレメントは、例えば価値インプリント１２４の下に隠されてもよい。図示の実施形態では、非活性価値インプリント１２ｎが活性化可能な価値インプリント１２４ａの傍に配置される。
【００６１】
活性化可能な価値インプリント１２４ａは、図１４および１５から特にはっきりと分かるように、ポリマー表示要素の形態である。数字１４２は、微細非金属かまたは微細金属化領域１４４ｄ（図１５参照）から形成される。これらの領域は格子形状に配置され、その下に対応する関係に配置された表示領域での観察を可能にする。この表示領域は、図２を参照して前述したように発光および／または色変化性であってもよい。これは連続的な部分表示領域を含んでもよい。領域１４４ｄは、例えば反射性の金属電極層１４４に配置される。しかしながら、電極層１４４が微細構造化された回折表面構造、例えば回折格子を有することも可能である。このように、照明を変えたり観察方向を変えるときに、電極層１４４は色を変化させる効果を生じることができる。
【００６２】
ここで、セキュリティドキュメント１２０のＲＦＩＤトランスポンダが高周波電磁界内に移動された場合、活性化可能な価値インプリント１２４ａは光を発することが可能である。無線電話１２２または無線キー１２３からの放射によって活性化可能な価値インプリントは、信頼性の確認が誰によっても容易に行われ得るように紙幣または有価ドキュメントに関連した用途に特に適している。
【００６３】
上述の価値インプリントは、上述された要素全てが統合されたフィルム要素の形態であってもよい。このようなフィルムエレメントは従来の複製プロセスでは模倣され得ない。商業的に入手可能な個々のエレメントから組み合わせることもできない。
【００６４】
本発明によるセキュリティエレメントは厚さ１０μｍ〜１００μｍのキャリアフィルムに形成されたフィルム体の形状であってもよい。キャリアフィルムは、さらなる生産工程においてキャリアフィルムの変形を最小限度にするために、単一軸方向または二軸方向に延伸され得ることが好ましい。
【００６５】
光学可変デバイスの形態の層は、厚さ０．５μｍ〜５μｍ、好ましくは１μｍ〜２μｍの複製ラッカー層の形態で、印刷プロセスによって適用されることが可能であり、熱および圧力の作用下でそこに複製された回折構造を有する。この目的のため、例えば熱可塑性複製ラッカーは凹版印刷ローラによって全表面積に適用され、乾燥され、次いで回折構造がスタンピング金型によって形成される。
【００６６】
さらに、放射線架橋性ラッカーが複製ラッカーとして適用され、次いで回折構造がＵＶ複製によって複製ラッカー層に形成されることもまた可能である。
【００６７】
電極層または導体トラックのような他の導電層は、非常に薄い金属層、例えば金または銀から形成され得る。このような層は、例えば印刷または蒸着加工によって、構造化された形状に予め適用されてもよい。しかしながら、電極層は全表面積にわたって適用され、次いでポジ／ネガエッチングまたはレーザーアブレーションによって部分的に再び取り除かれることもまた可能である。このように、例えばその下に配置されたポリマー表示層で観察可能な微細非金属化領域を形成することが可能である。金属層の代わりに透明な導電性材料、例えばインジウムスズ酸化物または導電性ポリマー、好ましくはポリアニリンまたはポリピロールを含む層を提供することも可能である。
【００６８】
ポリマー表示要素は、例えば二つの電極層の間に厚さが約１５０ｎｍのＰＰＶまたはポリ（９、９’−ジオクチルフルオレン）のような電場発光物質を含むために適用され得る。
【００６９】
本発明による表示要素および／またはセキュリティエレメントの全ての要素がフィルムエレメントにおいて組み合わされ、共有の生産プロセスで適用され得るという事実により、高度の整合精度が提供される。また、この事実は、電極、導体トラックなどが光学可変デバイスの形態であり得ることを意味する。光学可変エレメントは、光学機能層の下に配置された中間層の形態、例えば回折電極構造を有する電極層の形態であることもまた可能である。光学機能層は集光および／または光散乱マクロ構造、例えばミクロレンズアレイおよび／またはミクロプリズムアレイの形態であることが可能である。
【図面の簡単な説明】
【００７０】
【図１】光学可変デバイスの形態の電気的活性層を有するポリマー表示要素の第一の実施例の概略断面図。
【図２】光学可変デバイスの形態の電気的活性層を有するポリマー表示要素の第二の実施例の概略断面図。
【図３】光学可変デバイスの形態の電気的活性層を有するポリマー表示要素の第三の実施例の概略断面図。
【図４】光学可変デバイスの形態の電気的活性層を有するポリマー表示要素の第四の実施例の概略断面図。
【図５】光学可変デバイスの形態の電気的活性層を有するポリマー表示要素の第五の実施例の概略断面図。
【図６】光学可変デバイスの形態の電気的活性層を有するポリマー表示要素の第六の実施例の概略断面図。
【図７】光学可変デバイスの形態の電気的活性層を有するセキュリティドキュメントの第一の実施例の概略断面図。
【図８】図７のセキュリティドキュメントの平面図ＶＩＩＩ。
【図９】光学可変デバイスの形態の電気的活性層を有するポリマーディスプレイの実施例の概略平面図。
【図１０】図９からの拡大部Ｘ。
【図１１】図１０からのさらなる拡大部ＸＩ。
【図１２】セキュリティドキュメントの第二実施例の概略図。
【図１３】図１２からの拡大部ＸＩＩＩ。
【図１４】図１３からの拡大部ＸＩＶ。
【図１５】図１４からの拡大部ＸＶ。
【図１】
2008525997.tif 000003
【図２】
2008525997.tif 000004
【図３】
2008525997.tif 000005
【図４】
2008525997.tif 000006
【図５】
2008525997.tif 000007
【図６】
2008525997.tif 000008
【図７】
2008525997.tif 000009
【図８】
2008525997.tif 000010
【図９】
2008525997.tif 000011
【図１０】
2008525997.tif 000012
【図１１】
2008525997.tif 000013
【図１２】
2008525997.tif 000014
【図１３】
2008525997.tif 000015
【図１４】
2008525997.tif 000016
【図１５】
2008525997.tif 000017
【手続補正書】
【提出日】平成18年10月5日(2006.10.5)
【手続補正１】
【補正対象書類名】特許請求の範囲
【補正対象項目名】全文
【補正方法】変更
【補正の内容】
【特許請求の範囲】
【請求項１】
少なくとも１つの光学可変デバイスを有するセキュリティエレメントであって、
前記光学可変デバイスの少なくとも１つの層が電子部品及び／または電子回路の電気的活性層（１３、１４）の形態であり、
前記電気的活性層が、光学表示要素（１０、２０、３０、４０、５０、６０）の電極の形態であることを特徴とするセキュリティエレメント。
【請求項２】
前記電気的活性層はインダクタおよび／またはコンデンサの電気的活性層の形態であることを特徴とする請求項１に記載のセキュリティエレメント。
【請求項３】
前記電気的活性層は電気発振回路の電気的活性層の形態であることを特徴とする前述の請求項のいずれか１つに記載のセキュリティエレメント。
【請求項４】
前記電気的活性層の表面構造は前記発振回路の共振周波数および／または品質に影響を及ぼすことを特徴とする請求項３に記載のセキュリティエレメント。
【請求項５】
前記電気的活性層はＲＦアンテナ（７４ａ）の形態であることを特徴とする前述の請求項のいずれか１つに記載のセキュリティエレメント。
【請求項６】
前記電気的活性層は電気接続要素（９１ｌ）の形態であることを特徴とする前述の請求項のいずれか１つに記載のセキュリティエレメント。
【請求項７】
前記電気的活性層は微細非金属化層または微細金属化層の形態であることを特徴とする前述の請求項のいずれか１つに記載のセキュリティエレメント。
【請求項８】
前記電気的活性層は金属層の形態であることを特徴とする前述の請求項のいずれか１つに記載のセキュリティエレメント。
【請求項９】
前記電気的活性層は非金属層の形態であることを特徴とする前述の請求項のいずれか１つに記載のセキュリティエレメント。
【請求項１０】
前記電気的活性層は有機層の形態であることを特徴とする前述の請求項のいずれか１つに記載のセキュリティエレメント。
【請求項１１】
前記電気的活性層は前記光学可変デバイスの準領域を形成することを特徴とする前述の請求項のいずれか１つに記載のセキュリティエレメント。
【請求項１２】
前記電気的活性層は少なくとも１つの被覆層（１５、４６、５６、６６）によって覆われることを特徴とする前述の請求項のいずれか１つに記載のセキュリティエレメント。
【請求項１３】
前記被覆層はさらなる光学可変デバイスの表面回折レリーフを有する透明層であることを特徴とする請求項１２に記載のセキュリティエレメント。
【請求項１４】
前記被覆層はミクロレンズおよび／またはミクロプリズムアレイを有することを特徴とする請求項１２に記載のセキュリティエレメント。
【請求項１５】
前記被覆層はマクロ構造が形成された透明層であることを特徴とする請求項１２に記載のセキュリティエレメント。
【請求項１６】
前記被覆層（１５、４６、５６、６６）は前記光学表示要素（１０、２０、３０、４０、５０、６０）にわたって配置されることを特徴とする請求項６および請求項１２に記載のセキュリティエレメント。
【請求項１７】
前記被覆層は前記光学表示要素（１０、２０、３０、４０、５０、６０）の下に配置されることを特徴とする請求項６および請求項１３に記載のセキュリティエレメント。
【請求項１８】
前記被覆層は前記光学表示要素（１０、２０、３０、４０、５０、６０）から放射された画像が立体画像として観察者に見えるようにされることを特徴とする請求項１５および請求項１６に記載のセキュリティエレメント。
【国際調査報告】
2008525997.tif 000018
2008525997.tif 000019
2008525997.tif 000020
2008525997.tif 000021